【事件の表示】
　平成　５年特許願第５０４９０１号「マトリクスディスプレイの制御方法および制御装置」拒絶査定不服審判事件〔平成　５年　３月１８日国際公開、ＷＯ９３／０５４９７、平成　７年　２月１６日国内公表、特表平　７−５０１６２６〕について、次のとおり審決する。
【結　論】
　本件審判の請求は、成り立たない。
【理　由】
第１　手続の経緯・本願発明 
　本願は、１９９２年８月２６日（パリ条約による優先権主張　１９９１年９月５日　ドイツ連邦共和国（DE)）に国際出願（ＰＣＴ／ＥＰ９２／０１９５４）された外国語特許出願であって、その請求項１及び２に係る発明（以下、「本願発明１」及び「本願発明２」という。）は、特許協力条約第３４条（２）（ｂ）の規定に基づき提出された補正書の特許法第１８４条の８の規定により平成６年３月７日に提出された翻訳文、平成１４年７月２６日付けの手続補正書、平成１５年６月２５日付けの手続補正書及び平成１８年１月１２日付けの手続補正書により補正された明細書及び図面の記載からみて、その特許請求の範囲の請求項１及び２に記載されたとおりのものであり、次に記載したとおりのものと認める。 
 　 
【請求項１】多数の画素を有するマトリクスディスプレイの制御方法であって、前記マトリクスディスプレイは、画像情報を含むアクティブ部分と非アクティブ部分とを有する入力ビデオ信号を表示する方法において、画素の制御を走査線毎に実行し、当該制御においては、前記入力ビデオ信号のアクティブ部分をラインメモリに、第１の制御信号に応答して第１の制御信号レートで記憶し、前記ラインメモリから第２の制御信号に応答して、記憶された画素を前記第１の制御信号レートとは異なる第２の制御信号レートで読出し、出力ビデオ信号を形成し、該出力ビデオ信号は、前記マトリクスディスプレイの表示走査線に表示するための画像情報を提供し、前記出力ビデオ信号のアクティブ部分と非アクティブ部分との比は、前記入力ビデオ信号におけるアクティブ部分と非アクティブ部分との比よりも大きい、ことを特徴とする方法。
　
【請求項２】マトリクスディスプレイの制御装置であって、入力ビデオ信号の画像源と、第１の制御信号と第２の制御信号の発生源を有し該入力ビデオ信号は、画像情報を含むアクティブ部分と非アクティブ部分とを有し、ラインメモリが前記第１の制御信号に応答し、該ラインメモリに前記アクティブ部分の画素が第１の制御信号レートで記憶され、ラインメモリが前記第２の制御信号に応答して、記憶された画素が前記第１の制御信号レートとは異なる第２の制御信号レートで読出され、これにより出力ビデオ信号が形成され、該出力ビデオ信号は、前記マトリクスディスプレイの表示走査線に表示するための画像情報を提供し、前記出力ビデオ信号のアクティブ部分と非アクティブ部分との比は、前記入力ビデオ信号におけるアクティブ部分と非アクティブ部分との比よりも大きい、ことを特徴とする制御装置。
　
  
第２　刊行物に記載された事項 
　１　特開平２−３１２３８０号公報に記載された事項
　　当審の平成１７年７月６日付けの拒絶理由通知書において引用し、本願の出願前の平成２年１２月２７日に頒布された刊行物である特開平２−３１２３８０号公報（以下、「刊行物１」という。）には、図面とともに次の事項が記載されている。 
　（１）「〔産業上の利用分野〕この発明は画素がマトリクス状に配列された各種平面ディスプレイにテレビ画像を表示することができる表示装置に関するものである。」（第１頁左欄第１８行〜右欄第１行） 
　（２）「〔発明が解決しようとする課題〕従来の表示装置は・・・表示部１９の高密度化にともなって情報量は増える一方、単位時間当りの伝送路を通過できる情報量は・・・限られてくるため、対応可能なスクリーンサイズには限界があるという課題があった。この発明は上記のような課題を解消するためになされたもので、単位時間当りのピーク情報伝送量を増やすことなく全体の情報量を増やし、大規模な画素数を有する表示部にテレビ画像の表示を行うことができる表示装置を得ることを目的とする。」（第２頁右下欄第１５行〜第３頁左上欄第８行） 
　（３）「〔課題を解決するための手段〕この発明に係る表示装置は、入力したテレビ画像のうち有効な区間の信号をディジタル化し、サンプリング抽出してテレビ信号とするＡ／Ｄ変換器およびサンプリング部を有し、このテレビ信号をフレームメモリに格納し、フレームメモリからテレビ信号を読み出す際に、拡大制御部によってテレビ画像に含まれる水平および垂直ブランキング期間に対応した期間に転送できる分だけの画素をテレビ信号に追加し、画素が追加された表示用のテレビ信号を、伝送路を介して表示部に転送するものである。 
 〔作用〕この発明における表示装置は、テレビ画像の水平及び垂直ブランキング期間に対応する期間も、テレビ信号が有効な期間とすることにより、単位時間当りのピーク情報伝送量を増やすことなく全体の情報量を増加させることができ、テレビ信号の持つ情報量に対し、比較的大規模な画素数を持つスクリーンに対して効率的なデータ伝送を行い、無理無くテレビ画像の表示を行うことができる。」（第３頁左上欄第９行〜右上欄第９行） 
　（４）「第１図において、１はテレビ信号を拡大する拡大制御部、５はＡ／Ｄ変換されたテレビ信号を格納するフレームメモリであり、その他のブロックは第９図に示したものと同一のものである。次に動作について説明する。まず、テレビ画像は所定のタイミングでＡ／Ｄ変換器２にてＡ／Ｄ変換された後、一旦フレームメモリ５に格納される。さらに所定のタイミングで読み出され、第１のバス１０へ送出される。ここで第２図においてＡ部は、従来技術にて対応した画面の規模であり、この内部は第１１図に示した様にテレビ信号の持つ情報量の一部を利用している。一方、第２図Ｂ部に示すように本発明の適用対象である大規模な画素数を有する表示装置においては、情報の補間が必要となる。ここで、水平方向（Ｘ方向）の補間に対しては、テレビ画像を高速でサンプリングし、より多くのディジタル化された情報を取り出すことにより対応できるが、これにより第１のバス１０の伝送速度は高速化する。このようにすれば、ある程度の情報量の増加は第１のバス１０にて対応できるもののやはり限界がある。第１のバス１０を伝送できる信号の周波数の限界を１２．５ＭＨｚとすると、横方向の画素数は、上記の方法によると最大約６７０画素程度となる（水平ブランキング期間８４％の場合）。しかし、本発明によれば、テレビ信号を拡大しテレビ画像のブランキング期間を情報の伝送に利用するので、第３図に示すように横方向に対しては、従来の情報伝送量（テレビ画像の有効区間のテレビ信号２１に対応している。）に加えて水平ブランキング期間に相当する期間分の情報２２を加えて伝送できるようになる。例えば、クロックの周波数を１２．５ＭＨｚのままとすると、横方向の画素数は約８００画素まで拡張できるようになる。垂直方向（Ｙ方向）の補間に対しても同様に垂直ブランキング期間を利用することにより従来の方法で２４０画素であったものが２５６画素まで拡張できるようになる。このような画素数の拡張に対応するテレビ信号の拡大は、例えば第４図に示すように水平、及び垂直方向とも周期的にデータを補間することにより実現できる。ここで、テレビ信号を同図（ａ）のように示し、サンプリングしてフレームメモリ５に格納されたものを同図（ｂ）のように示す。そして、従来の表示装置におけるサンプリング間隔を短くした場合のテレビ信号の様子を同図（ｃ）に、本発明に係る表示装置における、画素数が増加した後のテレビ信号の様子を同図（ｄ）に、さらに、垂直方向も画素数が増加した後のテレビ信号の様子を同図（ｅ）に示している。また、同図（ｆ）は従来の表示装置によるスクリーン上の表示状態を、同図（ｇ）は本発明に係る表示装置におけるスクリーン上の表示状態を、それぞれ示している。なお、補間方法は最も単純な前値補間を採用している。拡大制御部１は、フレームメモリ５に格納されているテレビ信号に対して、ブランキング期間を第１のバス１０のデータ伝送速度で割つて得られた値に等しい画素数まで補間可能である。そして、補間後のテレビ信号を第１のバス１０に対して送出させる。この結果、ブランキング期間に対応した画像情報伝送期間を追加することができ、画像情報の単位時間当りのピーク伝送量を増やすことなく、第１のバス１０における画像情報の絶対量を増大させることができるようになる。このようにして作り出された画像情報は、バッファメモリ６を経由して、第２のバス１１を介し各モジュールの各画素に対応する所定のデータ記憶部１６まで伝送され、従来技術の動作において述べた信号処理と同様の処理により画素を駆動し、所定の画像を表示する。こうして、第２図のＢ部に示すような比較的大規模な画素数を持つスクリーンに対して、画像の表示を行うことができるようになる。」（第３頁右上欄第１７行〜第４頁右上欄第８行） 
　（５）「なお、上記実施例では、表示部１９に対応したデータ記憶部１８として、第７図に示したような画素毎に個別にフリップフロップ１３を設けたものを使用することができるが、画素に対応したアドレスを有するフレームメモリ、あるいは他の同様な記憶手段であってもよい。さらに上記実施例では、各画素が独立した画素であり、個別に駆動すべき表示として示したが、これは、各種のパネルディスプレイにおいて見られるように、行（Ｘ）、および列（Ｙ）毎に駆動手段を有し、両者の交点に位置する画素を制御する方式（ダイナミック駆動）の表示素子を使用しても同様の制御は可能である。この場合の画素、および駆動するための電極の関係を第５図に、各電極に印加する信号のタイミングを第６図に示す。第６図において、ＸおよびＹがともに選択された表示素子がスクリーン上で表示を行う。また、同図において、Ｙのパルス幅の変動は濃淡の例を示している。ここで各画素の駆動は、行毎に逐次時分割で制御されるが、本発明による方法適用は可能である。」（第４頁右上欄第９行〜左下欄第８行） 
 　 
　２　特開昭６２−１２２３８７号公報に記載された事項 
　　当審の平成１７年７月６日付けの拒絶理由通知書において引用し、本願の出願前の昭和６２年６月３日に頒布された刊行物である特開昭６２−１２２３８７号公報（以下、「刊行物２」という。）には、図面とともに次の事項が記載されている。
　（１）「〔産業上の利用分野〕本発明は、信号を入力しその信号のデータ転送速度、データ転送順序、転送データ形態などの信号のフオーマツトを変換して出力するインターフエイス装置に関するものである。」（第２頁左上欄第１５行〜第１９行） 
　（２）「〔問題点を解決するための手段〕上記問題点を解決するために、本発明のインターフエイス装置は以下の構成を有することを特徴とする。 
 ａ）信号を入力するデータ入力回路 
 ｂ）入力されたデータを一時的に記憶する読み出し／書き込みメモリ 
 ｃ）信号を出力するデータ出力回路 
 ｄ）入力データを書き込むアドレスを計数する書き込みアドレスカウンタ 
 ｅ）書き込みアドレスカウンタのクロツクとは非同期のクロツクを発生するクロツク発生回路 
 ｆ）出力データを読み出すアドレスを、クロツク発生回路が発生したクロツクで計数する読み出しアドレスカウンタ 
 ｇ）メモリの読み出しサイクルと書き込みサイクルを時分割的に選択し、切り換える読み出し／書き込み制御回路 
 〔作用〕上記の様に構成されたインターフエイス装置の動作原理は以下の様である。すなわち、入力信号はデータ入力回路に入力され、読み出し／書き込み制御回路の指示により、書き込みアドレスカウンタで指定されるアドレスのＲＡＭに書き込まれる。書き込まれたデータは読み出し／書き込み制御回路の指示により、読み出しアドレスカウンタで指定されるアドレスのＲＡＭから読み出されデータ出力回路によつて出力信号となる。この様に信号データは一時的にＲＡＭに記憶されるため、入力信号のデータ形態及び出力信号のデータ形態は、それぞれデータ入力回路及びデータ出力回路によつてどの様な信号形態にも対応できる。また、出力信号の転送順序は読み出しアドレスカウンタの計数方法を変えることにより容易に変更することができる。また、読み出し／書き込み制御回路はＲＡＭの読み出しサイクルと書き込みサイクルを時分割で行う様に制御するため、信号が入力されている時でも出力信号が中断される様なことはない。さらに、読み出し／書き込み制御回路は互いに非同期で計数されるアドレスの同期化を行うために、読み出しアドレスの変化をとらえ、この変化が書き込みアドレスから読み出しアドレスへの切り換えと重なつた場合には、新しい読み出しアドレスの出力を次のサイクルに送る様に動作する。これにより、出力信号のデータ転送速度を決める読み出しアドレスカウンタは、入力信号のデータ転送速度を決める書き込みアドレスカウンタとは非同期のクロツクで動作させる事ができ、出力信号のデータ転送速度は入力信号のデータ転送速度で制約を受けることなく、任意の値に設定することが可能である。」（第２頁右下欄第１１行〜第３頁左下欄第６行） 
　（３）「〔実施例〕以下に本発明の実施例を図面に基づいて詳細に説明する。変換する信号の一例として、表示装置用の表示データ信号をとりあげ、ＣＲＴ表示装置用のデータ信号（以下、ビデオデータ信号という）を液晶表示装置用のデータ信号（以下、ＬＣＤデータ信号という）に変換する場合を例として説明する。第１図は本発明のインターフエイス装置のブロツク図である。１はパーソナルコンピユータ、２はパーソナルコンピユータ１が出力するビデオデータ信号、３は液晶表示装置、４は液晶表示装置３用のＬＣＤデータ信号である。第１図の動作説明をする前に、ビデオデータ信号２とＬＣＤデータ信号４のフオーマツトについて説明する。第２図はビデオデータ信号２のフオーマツト図で、表示画面サイズが横方向６４０ドツト、縦方向４００ラインの、ノンインターレースモードの場合の図である。１０１は表示データ領域、１０２は、データの転送順序を示す。また、（ａ）は転送クロツク、（ｂ）は１水平走査期間のビデオデータ信号、（ｃ）は１フレ一ム期間のビデオデータ信号のタイミングチヤートで、いずれも斜線部が表示データ領域である。ビデオデータ信号はＣＲＴ表示装置を点順次走査するためのシリアルデータである。第２図で、表示領域の周囲に示したバツクポーチ、フロントポーチと呼ばれる領域は、走査ビームの帰線のためのブランキング領域である。ビデオデータ信号の特徴を箇条書きすれば以下の様になる。 ｈ）データ転送速度　　・・・　２１Ｍｂｐｓ 
 ｉ）転送クロツク周波数・・・　２１ＭＨｚ 
 ｊ）データ転送順序　　・・・　無効データ期間であるバツクポーチ、フロントポーチ期間を含む間欠データ転送 
 ｋ）転送データ形態　　・・・　シリアル転送 
 　一方、第３図はＬＣＤデータ信号４のフオーマツト図で、ビデオデータ信号の場合と同様に表示画面サイズが横方向６４０ドツト、縦方向４００ラインの場合の図である。１０３は表示データ領域、１０４はデータの転送順序を示す。また、（ａ）は転送クロツク、（ｂ）はＬＣＤデータ信号のタイミングチヤート図である。ＬＣＤ表示装置は線順次走査型の表示装置であるため、転送されたＬＣＤデータ信号は、１ライン分のデータが転送されたタイミングでまとめて表示画素に出力される。従つてＬＣＤデータ信号は１ライン時間内に次ラインのデータを送ることが出来れば、シリアルデータである必要はなく、複数ビツトをまとめてパラレルに転送しても良い。第３図の例は、４ビツトをまとめて転送する場合の例である。ＬＣＤデータ信号の特徴を箇条書きにすれば以下の様になる。 
 ｌ）データ転送速度　　・・・　１４Ｍｂｐｓ 
 ｍ）転送クロツク周波数・・・　３．５ＭＨｚ 
 ｎ）データ転送順序　　・・・　上下２画面分割交互転送 
 ｏ）転送データ形態　　・・・　４ビツトパラレル転送 
 上記及び第２図、第３図で示した様に、入力信号であるビデオデータ信号と出力信号であるＬＣＤデータ信号は、データ転送速度、データ転送順序及び転送データ形態とも異なつたものである。ここで入力信号と出力信号において、一画面分のデータを転送する周期（フレーム周期）には大差はなく通常６０Ｈｚ前後であるが、両信号の転送クロツク周波数には大きな差がある。この理由は二つあり、第一に、ビデオデータ信号は第２図に示す様にＣＲＴ画面の周囲にバツクポーチ、フロントポーチと呼ばれるブランキング領域をもたせる必要があるため、１フレーム時間のおよそ２／３以下の時間内に１フレーム分のデータを送らなければならず、転送クロツク周波数は高くなる。一方、ＬＣＤデータ信号は、１フレーム時間と１フレーム分のデータ送出時間が一致しているため、転送クロツク周波数は低くて良い。第二の理由は、ビデオデータ信号が点順次走査型の電子ビームを使つたＣＲＴ表示装置用の信号であるため、シリアル，データでなければならないのに対し、ＬＣＤデータ信号は、フラツトデイスプレイで一般的に用いられている線順次走査型の信号であるため、複数ビツトをまとめてセグメント，ドライバに転送することができるためである。例えば、第３図で示した４ビツトパラレル転送では、シリアル転送に比べて１／４の時間で１フレーム分のデータを転送できるわけである。」（第３頁左下欄第７行〜第４頁左下欄第１２行） 
　（４）「第１図に示した本発明のインターフエイス装置において、パーソナルコンピユータ１が出力するビデオデータ信号２はデータ入力回路５内の直列／並列変換回路（以下、Ｓ／Ｐ変換回路という）８に入力され、直列データが並列データに変換されていく。信号９はＳ／Ｐ変換を行うクロツク信号で、フエーズ．ロツク．ループ回路・・・；以下、ＰＬＬ回路という）１２によつて発生される。ＰＬＬ回路１２は水平同期信号１０によつて制御されるため、ビデオデータ信号２を入力するのに適した周波数及び位相のクロツク信号９を発生することが可能である。本実施例の場合、クロツク信号９の周波数は２１ＭＨｚである。水平バツクポーチ判定回路／水平ドツト数カウンタ６及び垂直バツクポーチ判定回路／垂直ライン数カウンタ７は、それぞれ水平同期信号１０、垂直同期信号１１を入力して無効データ期間であるバツクポーチ期間と表示データ期間１０１を判定し、ビデオデータ信号のうち有効データである表示データのみをＳ／Ｐ変換する様に制御する。ＲＡＭ６の１ワードが８ビツトで構成された場合を例に説明すると、１ワード８ビツトのデータが入力されると書き込みアドレスカウンタが計数され、読み出し／書き込み制御回路１７が制御信号１８及び１９を出力し、Ｓ／Ｐ変換回路８に入力されたデータがデータバス１４に、また書き込みアドレスカウンタ１３で計数された書き込みアドレスがアドレスバス１５に出力される。そして、制御信号２０によりデータがＲＡＭ１６に書き込まれる。一方クロツク発生回路２５は、データ書き込み側のクロツク信号９とは非同期の読み出し用クロツク信号２６を発生する。データ出力回路２２内のＬＣＤデータ変換回路２４はＲＡＭ１６から読み出した出力データを４ビツトパラレルのＬＣＤデータ信号に変換しクロツク２６に従つた転送速度でＬＣＤデータ信号４を出力する。本実施例の場合、転送クロツク周波数は１５ＭＨｚである。」（第４頁右下欄第１２行〜第５頁右上欄第１０行） 
　
　
第３　対比・判断 
　１　刊行物１に記載された発明 
　　（１）　刊行物１の摘記事項「１の（１）」には「画素がマトリクス状に配列された各種平面ディスプレイにテレビ画像を表示することができる表示装置に関するものである。」と記載されており、第１図に記載された「表示部１９」は、「画素がマトリクス状に配列された」「平面ディスプレイ」であることが読み取れる。 
　　（２）　同摘記事項「１の（３）」の「入力したテレビ画像のうち有効な区間の信号をディジタル化し、サンプリング抽出してテレビ信号とするＡ／Ｄ変換器及びサンプリング部を有し」との記載からみて、刊行物１の「入力したテレビ画像」信号は、「有効な区間」と有効でない区間を有する「テレビ画像」信号であることは明らかである。 
　　（３）　同摘記事項「１の（４）」には、「５はＡ／Ｄ変換されたテレビ信号を格納するフレームメモリであり」、「テレビ画像は所定のタイミングでＡ／Ｄ変換器２にてＡ／Ｄ変換された後、一旦フレームメモリ５に格納される。さらに所定のタイミングで読み出され、第１のバス１０へ送出される。」と記載されていること、及び上記イにおいて説示した摘記事項を合わせ読むと、刊行物１の表示装置は、「テレビ画像のうち有効な区間の信号をフレームメモリ５に、所定のタイミング信号により記憶する」ものであり、「フレームメモリ５から所定のタイミングで記憶されたテレビ画像を読み出し」、「第１のバス１０へ送出する」ものであることが読み取れる。また、「第１のバス１０」へ送出されたテレビ画像は、「表示部１９」に画像表示するための信号である。 
　　（４）　また同摘記事項「１の（４）」には、「本発明によれば、テレビ信号を拡大しテレビ画像のブランキング期間を情報の伝送に利用するので、第３図に示すように横方向に対しては、従来の情報伝送量（テレビ画像の有効区間のテレビ信号２１に対応している。）に加えて、水平ブランキング期間に相当する期間分の情報２２を加えて伝送できるようになる。」、「垂直方向・・・の補間に対しても同様に垂直ブランキング期間を利用することにより従来の方法で２４０画素であったものが２５６画素まで拡張できるようになる。」と記載されていることから、刊行物１に記載された「表示装置」の、「フレームメモリ５」から第１のバス１０へ送出されるテレビ画像の水平方向及び垂直方向の画素数は、フレームメモリ５へ入力されたテレビ画像の水平方向及び垂直方向の画素数に比べて多いものであることが読み取れ、さらに、第３図の記載を合わせ読むと、「出力されるテレビ画像」は、「入力されるテレビ画像」に比べて、有効区間が大きいことが見てとれる。
　　（５）　さらに、同摘記事項「１の（５）」から、「行及び列毎に駆動手段を有し、両者の交点に位置する画素を制御する方式（ダイナミック駆動）の表示素子を使用しても同様の制御は可能である。」旨記載されており、その場合に「各画素の駆動は、行毎に逐次時分割で制御」される点が記載されている。そして、その場合には、フレームメモリ５から第１のバス１０へ送出されるテレビ画像が表示部への行毎に表示するための信号となることは明らかである。 
　　（６）　以上から、刊行物１には「画素がマトリクス状に配列された平面ディスプレイからなる表示部１９の制御方法であって、前記表示部１９は、有効な区間と有効でない区間を有するテレビ画像を表示する方法において、各画素の駆動は、行毎に逐次時分割で制御され、入力されるテレビ画像のうち、有効な区間の信号をフレームメモリ５に所定のタイミング信号により記憶し、フレームメモリ５から所定のタイミングで記憶されたテレビ画像を読み出し、第１のバス１０へテレビ画像を送出し、第１のバス１０へ送出されたテレビ画像は、表示部１９に行毎に表示するための信号であり、フレームメモリ５から第１のバス１０へ送出されるテレビ画像の水平方向及び垂直方向の画素数は、フレームメモリ５へ入力されたテレビ画像の水平方向及び垂直方向の画素数よりも多く、フレームメモリ５から第１のバス１０へ送出されるテレビ画像の有効区間は、フレームメモリ５へ入力されるテレビ画像の有効区間よりも大きい方法」（以下、「引用発明」という。）が記載されているものと認められる。 
　
　２　本願発明１と引用発明との対比 
　　（１）　本願発明１（以下、「前者」という。）と引用発明（以下、「後者」という。）とを対比すると、後者の「画素がマトリクス状に配列された平面ディスプレイからなる表示部１９」、「有効な区間と有効でない区間を有するテレビ画像」、「各画素の駆動は、行毎に逐次時分割で制御され」、「第１のバス１０へテレビ画像を送出し」、「第１のバス１０へ送出されたテレビ画像は、表示部１９に行毎に表示するための信号であり」は、それぞれ前者の「多数の画素を有するマトリクスディスプレイ」、「画像情報を含むアクティブ部分と非アクティブ部分とを有する入力ビデオ信号」、「画素の制御を走査線毎に実行し」、「出力ビデオ信号を形成」すること、「該出力ビデオ信号は、前記マトリクスディスプレイの表示走査線に表示するための画像情報を提供し」に相当する。 
　　（２）　前者の「前記入力ビデオ信号のアクティブ部分をラインメモリに、第１の制御信号に応答して第１の制御信号レートで記憶し」と後者の「入力されるテレビ画像のうち、有効な区間の信号をフレームメモリ５に所定のタイミング信号により記憶し」とは、共に「ビデオ信号のアクティブ部分をメモリに所定のレートで記憶」する点で共通し、前者の「ラインメモリから第２の制御信号に応答して、記憶された画素を．．．第２の制御信号レートで読出し」と後者の「フレームメモリ５から所定のタイミングで記憶されたテレビ画像を読み出し」とは、共に「メモリから記憶された画素を所定のレートで読み出」す点で共通する。 
　　（３）　後者では、「フレームメモリ５から第１のバス１０へ送出されるテレビ画像の有効区間は、フレームメモリ５へ入力されるテレビ画像の有効区間よりも大きい」とされており、当該「フレームメモリ５から第１のバス１０へ送出されるテレビ画像の有効区間」及び「フレームメモリ５へ入力されるテレビ画像の有効区間」」は、それぞれ前者の「出力ビデオ信号のアクティブ部分」及び「入力ビデオ信号のアクティブ部分」に相当するところ、「アクティブ部分」同士の比較において、入力信号側よりも出力信号側の方が大きい場合には、「アクティブ部分と非アクティブ部分との比」同士の比較においても、入力信号側よりも出力信号側の方が大きいと言えることから、両者は、「出力ビデオ信号のアクティブ部分と非アクティブ部分との比は、前記入力ビデオ信号におけるアクティブ部分と非アクティブ部分との比よりも大きい」という点で共通する。
　　（４）　したがって、前者と後者とは、「多数の画素を有するマトリクスディスプレイの制御方法であって、前記マトリクスディスプレイは、画像情報を含むアクティブ部分と非アクティブ部分とを有する入力ビデオ信号を表示する方法において、画素の制御を走査線毎に実行し、当該制御においては、前記入力ビデオ信号のアクティブ部分をメモリに所定のレートで記憶し、前記メモリから、記憶された画素を所定のレートで読出し、出力ビデオ信号を形成し、該出力ビデオ信号は、前記マトリクスディスプレイの表示走査線に表示するための画像情報を提供し、前記出力ビデオ信号のアクティブ部分と非アクティブ部分との比は、前記入力ビデオ信号におけるアクティブ部分と非アクティブ部分との比よりも大きい、ことを特徴とする方法」である点で一致し、つぎの相違点Ａ及びＢで相違する。 
　
　　　相違点Ａ　前者では、入力ビデオ信号を記憶し、出力ビデオ信号を読出すメモリが「ラインメモリ」であるのに対して、後者では画像信号を記憶して読出すメモリが「フレームメモリ」である点 
　
　　　相違点Ｂ　前者では、入力ビデオ信号のアクティブ部分をラインメモリに「第１の制御信号に応答して第１の制御信号レートで」記憶し、前記ラインメモリから「第２の制御信号に応答して」、記憶した画素を「前記第１の制御信号レートとは異なる第２の制御信号レートで」読出すものであるのに対して、後者では、各々所定のタイミングにより記憶・読出しを行うものである点
　　
　３　判断 
　　上記相違点Ａについて検討するに、液晶等のマトリクスディスプレイの表示制御方法において、表示すべき画像情報をラインメモリに記憶し、ラ
インメモリより記憶した画素を読み出して、マトリクスディスプレイに表示するための画像情報を提供する画像表示制御方法は、従来周知の技術であり、上記「第２」の「１」の「（５）」により、刊行物１には、「表示部１９に対応したデータ記憶部１８として、．．．画素に対応したアドレスを有するフレームメモリ、あるいは他の同様な記憶手段であってもよい」と記載されており、引用発明では、「フレームメモリ」以外の記憶手段を利用することを許容しているものと認められるから、引用発明において、「フレームメモリ」を用いることに代えて、従来周知の「ラインメモリ」を採用するようにすることは、当業者が容易に想到し得る程度のことである。
　　上記相違点Ｂについて検討するに、刊行物２には「ＣＲＴ表示装置用のデータ信号であるビデオデータ信号を液晶表示装置用のデータ信号であるＬＣＤデータ信号に変換するインターフェイス装置において、ビデオデータ信号のうち有効データである表示データのみを周波数２１ＭＨｚのクロック信号によりＳ／Ｐ変換しＲＡＭ１６に書き込み、データ書き込み側のクロック信号とは非同期の３．５ＭＨｚの読み出し用クロック信号によりＲＡＭ１６から出力データを読み出すインターフェイス装置」に関する発明が記載されているから、記憶手段に入力データを書き込む際のクロック信号の周波数と、当該記憶手段から出力データを読み出す際のクロック信号の周波数とを異ならせる点は、周知な技術である。 
　　そして、引用発明及び刊行物２に記載された技術は、共に、表示装置用のデータ信号を記憶し、当該データ信号を画素がマトリクス状に配列された平面ディスプレイの表示用データに変換して出力するものである点で技術分野を共通にするから、引用発明に、刊行物２に記載された周知な技術を適用して、ビデオ画像をメモリに記憶する際の制御信号と読み出す際の制御信号とをそれぞれ、非同期の異なるクロック信号とすることにより、「第１の制御信号に応答して第１の制御信号レートで」記憶し、「第２の制御信号に応答して」、記憶した画素を「前記第１の制御信号レートとは異なる第２の制御信号レートで」で読出すようにすることは、当業者が容易になし得ることである。 
　　また、本願発明１の効果は、引用発明及び周知な技術に基づいて当業者が予測し得る程度のことである。
　　したがって、本願発明１は、引用発明及び周知な技術に基づいて、当業者が容易に発明をすることができたものである。
　
　
第４　むすび
　以上のとおりであるから、本願発明１は、特許法第２９条第２項の規定により特許を受けることができないものであり、本願発明２について検討するまでもなく、本願は、拒絶をすべきものである。
　よって、結論のとおり審決する。